(57)【要約】【課題】  原稿台に置かれた原稿の搬送方向上流側に綴り穴が存在しているかどうかを安価な構成で検出する。【解決手段】  発光素子と受光素子と、光をほぼ均一に分散させると共に屈折させる導光板をからなる原稿穴検知手段を原稿の搬送方向上流に配置する。発光素子からの点状の光を導光板により線状の光軸に変換して原稿の綴り穴検出に使用するため、発光素子や受光素子の使用個数を減らせるとともに、任意の位置に存在する綴り穴を検出することが可能となる。【選択図】  図１
2005204008.tif 000002
【特許請求の範囲】
【請求項１】
複数の原稿を載置可能な原稿載置部と、
該原稿載置部上に積載された原稿を送り出す送り出し手段と、
送り出された複数の原稿から一枚の原稿を分離する分離手段と、
分離された一枚の原稿を給送する給送手段と、
前記原稿を案内するガイド部と、
案内された原稿を読み取るために載置する画像読み取り部と、
前記画像読み取り部において画像を読み取った後の原稿を排出する排出手段と、
前記原稿載置部の原稿が置かれたかどうかを検知する原稿検知手段と、
前記原稿載置部に置かれた原稿の前記分離手段に近い端部を挟み込む位置に配置された１つの発光素子と複数の受光素子と前記発光素子からの光を複数の前記受光素子へ導く光路を形成する導光板からなる原稿穴開き検知手段を有することを特徴とする原稿送り装置。
【請求項２】
複数の原稿を載置可能な原稿載置部と、
該原稿載置部上に積載された原稿を送り出す送り出し手段と、
送り出された複数の原稿から一枚の原稿を分離する分離手段と、
分離された一枚の原稿を給送する給送手段と、
前記原稿を案内するガイド部と、
案内された原稿を読み取るために載置する画像読み取り部と、
前記画像読み取り部において画像を読み取った後の原稿を排出する排出手段と、
前記原稿載置部の原稿が置かれたかどうかを検知する原稿検知手段と、
前記原稿載置部に置かれた原稿の前記分離手段に近い端部を挟み込む位置に配置された１つの受光素子と複数の発光素子と前記複数の発光素子からの光を前記１つの受光素子へ導く光路を形成する導光板からなる原稿穴開き検知手段を有することを特徴とする原稿送り装置。
【請求項３】
複数の原稿を載置可能な原稿載置部と、
該原稿載置部上に積載された原稿を送り出す送り出し手段と、
送り出された複数の原稿から一枚の原稿を分離する分離手段と、
分離された一枚の原稿を給送する給送手段と、
前記原稿を案内するガイド部と、
案内された原稿を読み取るために載置する画像読み取り部と、
前記画像読み取り部において画像を読み取った後の原稿を排出する排出手段と、
前記原稿載置部の原稿が置かれたかどうかを検知する原稿検知手段と、
前記原稿載置部の上方または下方に並列に配置された１つの発光素子と複数の受光素子からなる発受光手段と前記原稿載置部に置かれた原稿の前記分離手段に近い端部を前記発受光手段と対をなして挟み込む位置に配置された前記発受光手段と対をなして複数の光路を形成する反射部材からなる原稿穴開き検知手段を有することを特徴とする原稿送り装置。
【請求項４】
複数の原稿を載置可能な原稿載置部と、
該原稿載置部上に積載された原稿を送り出す送り出し手段と、
送り出された複数の原稿から一枚の原稿を分離する分離手段と、
分離された一枚の原稿を給送する給送手段と、
前記原稿を案内するガイド部と、
案内された原稿を読み取るために載置する画像読み取り部と、
前記画像読み取り部において画像を読み取った後の原稿を排出する排出手段と、
前記原稿載置部の原稿が置かれたかどうかを検知する原稿検知手段と、
前記原稿載置部の上方または下方に並列に配置された１つの受光素子と複数の発光素子からなる発受光手段と前記原稿載置部に置かれた原稿の前記分離手段に近い端部を前記発受光手段と対をなして挟み込む位置に配置された前記発受光手段と対をなして複数の光路を形成する反射部材からなる原稿穴開き検知手段を有することを特徴とする原稿送り装置。
【請求項５】
複数の原稿を載置可能な原稿載置部と、
該原稿載置部上に積載された原稿を送り出す送り出し手段と、
送り出された複数の原稿から一枚の原稿を分離する分離手段と、
分離された一枚の原稿を給送する給送手段と、
前記原稿を案内するガイド部と、
案内された原稿を読み取るために載置する画像読み取り部と、
前記画像読み取り部において画像を読み取った後の原稿を排出する排出手段と、
前記原稿載置部の原稿が置かれたかどうかを検知する原稿検知手段と、
前記原稿載置部の上方または下方に配置された発光素子と前記原稿載置部に対し前記発光手段と同じ側に配置され前記発光手段からの光を前記原稿載置部上の原稿へ導く発光側導光板と前記発光手段と前記原稿載置部を挟んで対向する側に配置された受光手段と前記原稿載置部に対し前記受光手段と同じ側に配置され前記発光側導光板からの光を前記受光手段へ導く受光側導光板からなる原稿穴開き検知手段を有することを特徴とする原稿送り装置。
【発明の詳細な説明】
【技術分野】
【０００１】
本発明は、原稿を光学的に読み取るために載置された原稿を分離して搬送する原稿送り装置に関するものである。
【背景技術】
【０００２】
従来、この種の原稿送り装置においては、搬送方向先端に綴り用の穴が存在するように原稿載置部上に置かれた原稿を分離して搬送しようとすると、分離部での分離動作により穴の部分で原稿が破れたり、斜行補正のためにレジローラに突き当てる際に穴の部分で原稿が座屈したりする問題がある。この問題を解決するために、原稿に綴り用の穴が開いていることを検出した場合は分離部の圧を減少させたりレジローラへの突き当て動作を中止したりしている。
【０００３】
そして、原稿の綴り穴を検出するために、原稿を挟み込むように発光素子と受光素子を一対一で配置するか、発光素子と受光素子を並列に並べた発受光手段と光を反射する反射部材とを原稿を挟み込むように一対一に配置した原稿穴開き検知手段を使用していた。
【特許文献１】特開平１０−２０３６８６号公報（図２９）
【発明の開示】
【発明が解決しようとする課題】
【０００４】
しかしながら、従来装置においては一組の検知手段が穴を検知できる位置は１つの光軸に限られているため、原稿の特定位置の穴しか検知することができなかった。また、色々な位置に穴の開いた原稿の穴を検知しようとすると、検知手段を多数並べるという方法もあるが、発光素子や受光素子が多くなり価格が高くなってしまうという問題があった。
【課題を解決するための手段】
【０００５】
上記目的を達成するために本発明の原稿送り装置においては
１．複数の原稿を載置可能な原稿載置部と、該原稿載置部上に積載された原稿を送り出す送り出し手段と、送り出された複数の原稿から一枚の原稿を分離する分離手段と、分離された一枚の原稿を給送する給送手段と、前記原稿を案内するガイド部と、案内された原稿を読み取るために載置する画像読み取り部と、前記画像読み取り部において画像を読み取った後の原稿を排出する排出手段と、前記原稿載置部の原稿が置かれたかどうかを検知する原稿検知手段とを有し、前記原稿載置部に置かれた原稿の前記分離手段に近い端部を挟み込む位置に配置された１つの発光素子と複数の受光素子と前記発光素子からの光を複数の前記受光素子へ導く光路を形成する導光板からなる原稿穴開き検知手段を構成した。
２．複数の原稿を載置可能な原稿載置部と、該原稿載置部上に積載された原稿を送り出す送り出し手段と、送り出された複数の原稿から一枚の原稿を分離する分離手段と、分離された一枚の原稿を給送する給送手段と、前記原稿を案内するガイド部と、案内された原稿を読み取るために載置する画像読み取り部と、前記画像読み取り部において画像を読み取った後の原稿を排出する排出手段と、前記原稿載置部の原稿が置かれたかどうかを検知する原稿検知手段と、前記原稿載置部に置かれた原稿の前記分離手段に近い端部を挟み込む位置に配置された１つの受光素子と複数の発光素子と前記複数の発光素子からの光を前記１つの受光素子へ導く光路を形成する導光板からなる原稿穴開き検知手段を構成した。
３．複数の原稿を載置可能な原稿載置部と、該原稿載置部上に積載された原稿を送り出す送り出し手段と、送り出された複数の原稿から一枚の原稿を分離する分離手段と、分離された一枚の原稿を給送する給送手段と、前記原稿を案内するガイド部と、案内された原稿を読み取るために載置する画像読み取り部と、前記画像読み取り部において画像を読み取った後の原稿を排出する排出手段と、前記原稿載置部の原稿が置かれたかどうかを検知する原稿検知手段と、前記原稿載置部の上方または下方に並列に配置された１つの発光素子と複数の受光素子からなる発受光手段と前記原稿載置部に置かれた原稿の前記分離手段に近い端部を前記発受光手段と対をなして挟み込む位置に配置された前記発受光手段と対をなして複数の光路を形成する反射部材からなる原稿穴開き検知手段を構成した。
４．複数の原稿を載置可能な原稿載置部と、該原稿載置部上に積載された原稿を送り出す送り出し手段と、送り出された複数の原稿から一枚の原稿を分離する分離手段と、分離された一枚の原稿を給送する給送手段と、前記原稿を案内するガイド部と、案内された原稿を読み取るために載置する画像読み取り部と、前記画像読み取り部において画像を読み取った後の原稿を排出する排出手段と、前記原稿載置部の原稿が置かれたかどうかを検知する原稿検知手段と、前記原稿載置部の上方または下方に並列に配置された１つの受光素子と複数の発光素子からなる発受光手段と前記原稿載置部に置かれた原稿の前記分離手段に近い端部を前記発受光手段と対をなして挟み込む位置に配置された前記発受光手段と対をなして複数の光路を形成する反射部材からなる原稿穴開き検知手段を構成した。
５．複数の原稿を載置可能な原稿載置部と、該原稿載置部上に積載された原稿を送り出す送り出し手段と、送り出された複数の原稿から一枚の原稿を分離する分離手段と、分離された一枚の原稿を給送する給送手段と、前記原稿を案内するガイド部と、案内された原稿を読み取るために載置する画像読み取り部と、前記画像読み取り部において画像を読み取った後の原稿を排出する排出手段と、前記原稿載置部の原稿が置かれたかどうかを検知する原稿検知手段と、前記原稿載置部の上方または下方に配置された発光素子と前記原稿載置部に対し前記発光手段と同じ側に配置され前記発光手段からの光を前記原稿載置部上の原稿へ導く発光側導光板と前記発光手段と前記原稿載置部を挟んで対向する側に配置された受光手段と前記原稿載置部に対し前記受光手段と同じ側に配置され前記発光側導光板からの光を前記受光手段へ導く受光側導光板からなる原稿穴開き検知手段を構成した。
【０００６】
上記構成により、発光素子と受光素子が一対一で光軸を構成するのではなく、少ない素子数で複数の光軸または線状や面状の光軸を達成できたため、位置の異なる原稿の綴り穴が検知できるようになった。
【発明の効果】
【０００７】
以上説明したように、本発明によれば、発光素子と受光素子が一対一で光軸を構成するのではなく、少ない素子数で複数の光軸または線状や面状の光軸を構成できたため、安価に位置の異なる原稿の綴り穴が検知できるようになった。
【発明を実施するための最良の形態】
【０００８】
図１は本発明の特徴を最もよく表す図面であり、７は原稿トレイ２上に置かれた原稿、１９は原稿に開いた綴りようの穴、３０は発光素子であるＬＥＤ、１５はＬＥＤ３０からの光を９０度曲げるとともにほぼ均一に光を分散させる導光板、１６は導光板１５からの光を９０度曲げるとともに分散していた光を収束させて受光素子４０へ導く導光板、４０はＬＥＤ３０の発する光が導光板１５，１６により導かれた先に存在して光を電流に変換する受光素子であるフォトトランジスタである。このＬＥＤ１５と導光板１５，１６とフォトトランジスタ４０の組み合わせにより原稿穴検知手段が構成されている。また、１８は原稿穴検知手段の検知結果を判断するとともに原稿送り装置全体の制御を行う制御回路である。
【０００９】
ここで、図６は原稿送り装置と原稿読み取り装置全体の構成図であり、この読み取り装置は、原稿送り装置１１と読み取り筐体部１２とからなる。まず、図６を用いて原稿送り装置の基本動作を説明する。
【００１０】
読み取り筐体部１２において、読み取り手段１３は、原稿を照明するための原稿照明ランプ、読み取る画像をＣＣＤに結像させるための短焦点レンズ、及び読み取り素子であるＣＣＤから構成され、ブック原稿読み取り時には、左右方向に移動して原稿を走査するとともに、原稿送り装置１１で、シート原稿を読み取る際には、図示の位置にて停止している。
【００１１】
原稿送り装置１１においては、複数の原稿を載置可能な原稿載置部として原稿トレイ２があり、原稿トレイ２には原稿が載置されたかどうかを検出する原稿検知センサ１４がある、また原稿に対向する位置に、原稿を送り出す送り出し手段としてピックアップローラ３、その搬送下流に分離パッド４と分離ローラ５から成る分離手段がある。なお、ピックアップローラ３は、分離ローラ５の回転軸を中心に揺動可能となり、原稿と接するようになっている。分離ローラ５の下流には、分離された原稿を給送する給送手段であるレジローラ対６，６′がある。
【００１２】
さらに下流には、プラテンローラ８が読み取り筐体部１２の画像読み取り部であるガラス台１上に原稿を押し付けながら搬送できるようになっている。プラテンローラ８の下流には、原稿を搬送する搬送ローラ対９，９′及び、原稿を排出する排出手段である排出ローラ対１０，１０′がある。
【００１３】
それぞれのローラは、ギア列やタイミングベルトにより駆動伝達される。ここで、ピックアップローラ３、分離ローラ５は駆動モータの正転時に搬送方向に駆動が伝わるように、駆動モータからワンウェイクラッチを介して駆動伝達されるようになっている。また、レジローラ６、プラテンローラ８、搬送ローラ９、排出ローラ１０には、駆動モータの逆転時に搬送方向に駆動が伝わるように、駆動モータからワンウェイクラッチを介して駆動が伝達されるようになっている。
【００１４】
原稿送り装置１１を用いての動作は、以下の通りである。
原稿トレイ２上に原稿７を原稿面を下にしてセットし、不図示のスタートボタンを押すと、駆動モータが正転して、ピックアップローラ３が原稿搬送方向に回転し、分離パッド４、分離ローラ５から成る分離部へと原稿を搬送する。分離部では原稿を一枚に分離して、駆動していないレジローラ対６，６′に突き当て、所定のループ量を得て搬送を一旦停止する。ここで駆動モータが逆転してレジローラ６が回転し、原稿はプラテンローラ８に搬送され、原稿読み取り部であるガラス台１に密着された状態で読み取り手段１３により露光され、読み取りが行われる。
【００１５】
原稿がプラテンローラ８を抜けると、読み取り終了となり、原稿は搬送ローラ対９，９′、排出ローラ対１０，１０′により排出トレイ上に排出される。すると、駆動モータが再び正転して、次の原稿を給紙し、先程と同様に読み取りが行われ、原稿がなくなるまで続けられる。
【００１６】
この様に動作する原稿送り装置において、原稿穴検知の動作を説明する。
【００１７】
図６内に示す位置に導光板１５，１６が存在し、さらに図６では不図示であるが、原稿７、導光板１５，１６と図１に示す位置関係でＬＥＤ３０とフォトトランジスタ４０が配置されている。原稿７が図６の原稿トレイに載置されると図１に示すように導光板１５，１６の間に置かれることになる。ＬＥＤ３０の発する光は導光板１５により導光板１５の長手方向にほぼ均一に分散されるとともに導光板１６の方向へ９０度曲がる。原稿の綴り穴１９を通った光は導光板１６により９０度曲げられてフォトトランジスタ４０に向けて収束される。これにより綴り穴が存在すればフォトトランジスタ４０はＬＥＤ３０の光が受光して電流を流す。制御回路１８は原稿検知センサ１４が原稿を検出している状態において、フォトトレンジスタの電流を検出した場合には原稿７の搬送方向先端に綴り穴が存在していると判断する。また、原稿７の搬送方向先端に綴り穴が存在しない場合は導光板１５から導光板１６への光は遮蔽されるためフォトトランジスタ４０へはＬＥＤ３０の光は届かずフォトトランジスタ４０は電流を流さない、制御回路１８は原稿検知センサ１４が原稿を検出している状態において、フォトトランジスタ４０の電流を検出しない場合には原稿７の搬送方向先端に綴り穴が存在していないと判断する。
【００１８】
本実施例においては、原稿に３穴の綴り穴が開いている場合を示したが、ＬＥＤ３０の光は導光板１５により導光板１５の長手方向にほぼ均一に分散するため、綴り穴の数には無関係に穴が存在しているか否かを検出することが可能である。
【００１９】
本実施例は請求項５に対応する図１の構成を説明したが、図２から図３に示す請求項１から２に対応する構成であっても同様な穴の検出が可能である。
【００２０】
さらに、図４から図５に示す請求項３から４に対応する構成であっても、穴数が限定されている場合には有効である。
【００２１】
また、本実施例においては原稿送り装置内に１組の原稿穴検知手段を配置しているが、複数の原稿穴検知手段を配置しても良い。
【図面の簡単な説明】
【００２２】
【図１】本発明の実施の形態に係る原稿の綴り穴検知手段の第１の構成図である。
【図２】本発明の実施の形態に係る原稿の綴り穴検知手段の第２の構成図である。
【図３】本発明の実施の形態に係る原稿の綴り穴検知手段の第３の構成図である。
【図４】本発明の実施の形態に係る原稿の綴り穴検知手段の第４の構成図である。
【図５】本発明の実施の形態に係る原稿の綴り穴検知手段の第５の構成図である。
【図６】本発明の実施の形態に係る原稿送り装置の全体構成図である。
【図７】従来の形態に係る原稿の綴り穴検知手段の第１の構成図である。
【図８】従来の形態に係る原稿の綴り穴検知手段の第２の構成図である。
【符号の説明】
【００２３】
１  ガラス台
２  原稿トレイ
３  ピックアップローラ
４  分離パッド
５  分離ローラ
６，６′  レジローラ対
７  原稿
８  プラテンローラ
９，９′  搬送ローラ対
１０，１０′  排出ローラ
１１  原稿送り装置
１２  読み取り筐体部
１３  読み取り手段
１４  原稿検知センサ
１５，１６  導光板
１７  反射板
１８  制御回路
１９  原稿の綴り穴
２０  フレーム部材
３０〜３４  発光素子であるＬＥＤ
４０〜４４  受光素子であるフォトトランジスタ
【図１】
2005204008.tif 000003
【図２】
2005204008.tif 000004
【図３】
2005204008.tif 000005
【図４】
2005204008.tif 000006
【図５】
2005204008.tif 000007
【図６】
2005204008.tif 000008
【図７】
2005204008.tif 000009
【図８】
2005204008.tif 000010